(57)【特許請求の範囲】
【請求項１】
通信しながら移動することが可能な無線等を利用した移動通信用電話機において、
緊急通報先の電話番号を記憶しておく記憶手段と、
緊急通報先に発信したことを判定する判定手段と、
緊急通報を行った後は電源を常時オンに設定しておく電源オン手段とを設けたことを特徴とする移動通信用電話機。
【発明の詳細な説明】
【０００１】
【発明の属する技術分野】
本発明は、通信しながら移動することが可能な無線等を利用した移動通信用電話機に関する。
【０００２】
【従来の技術】
現在の日本国内の電話システムは、緊急通報として１１０番（警察）、１１９番（消防，救急）に発信すると、発信先である相手によって発信者の電話番号等の情報が警察，消防等に通知される。緊急通報が終了しても、必要な場合は、警察，消防側からの呼び返しができるようになっている。無線等を利用した移動通信用電話機についても同様である。
無線等を利用した移動通信用電話機は、電源スイッチを具備している。発信する時はもちろん、着信を待ち受ける際にも電源をオンした状態を保持する必要がある。逆に、発信や着信の待ち受けを必要としないときには、電源をオフにすればよい。
【０００３】
図４に基づいて、従来例における移動通信用電話機をさらに詳しく説明する。図は制御系のブロックを示している。電話機制御部１は、マイクロプロセッサで構成されており、移動通信用電話機１０全体の制御を行う。メモリ２は、電話機制御部１のマイクロプロセッサが処理する情報を蓄積するための記憶装置である。ダイヤルキー３は、番号キー、発信キー、切断キー等を有し、利用者が押下したキーの情報を電話機制御部１に伝達する。無線部４は、無線部の制御を行う。電池からなる電源５は、移動通信用電話機１０の動作に必要な電力を供給する。電源スイッチ６は、利用者が移動通信用電話機１０の電源５をオン／オフするためのスイッチである。このブロック図から明らかなように、移動通信用電話機１０の電源５のオン／オフは、電源スイッチ６で行われ、これを操作するのは利用者である。
【０００４】
【発明が解決しようとする課題】
しかし、無線等を利用した移動通信用電話機は、通信しながら移動することが可能であるが、１１０番や１１９番に緊急通報を行った後に電源をオフにしてしまうと、警察，消防側からの呼び返しに応答できないという問題が発生する。逆にこれをいいことにして、いたずら目的で緊急通報をする者を助長しかねないという問題がある。
【０００５】
本発明はこのような点に鑑みてなされたものであり、緊急通報を行ったら利用者は電源をオフすることができなくなり、電池切れや、圏外への移動を除いて、確実に警察，消防側からの呼び返しを受けることができる移動通信用電話機を提供することを目的とする。
【０００６】
【課題を解決するための手段】
移動通信用電話機に、１１０、１１９番等の緊急通報用の電話番号を登録しておく。利用者が１１０、１１９番等の緊急通報用の電話番号をダイヤルして通話すると、移動通信用電話機の電話機制御部は、緊急通報を行ったことを検知する。この検知により、移動通信用電話機の電話機制御部は、利用者の操作に関係なく電源がオフにならないように、電源が接続された状態を維持させる。
【０００７】
【発明の実施の形態】
本発明の移動通信用電話機は、通信しながら移動することが可能な無線等を利用した移動通信用電話機において、
緊急通報先の電話番号を記憶しておく記憶手段と、緊急通報先に発信したことを判定する判定手段と、緊急通報を行った後は電源を常時オンに設定しておく電源オン手段とを設けたことに特徴を有している。
【０００８】
【実施例】
以下、本発明の一実施例を図面に基づいて説明する。図１は本発明の実施例における移動通信用電話機の制御系のブロック図である。なお、図４と同一符号を付したものはそれぞれ同一の要素を示しており、説明を省略する。なお、従来例の図４との相違箇所は、電源スイッチ６と並列に、電源スイッチ７を設けた点である。
【０００９】
緊急通報先の電話番号を記憶しておく記憶手段はメモリ２であり、緊急通報先に発信したことを判定する判定手段は電話機制御部１であり、緊急通報を行った後は電源５を常時オンに設定しておく電源オン手段は電話機制御部１からの制御信号に基づいて制御される電源スイッチ７である。すなわち、電源スイッチ７は、電話機制御部１が制御可能な構成になっでいる。電話機制御部１が電源スイッチ７をオンにすると、利用者が電源スイッチ６をオフに設定しても移動通信用電話機１０の電源５はオン状態が継続する。また、緊急通報用の電話番号は、メモリ２に記憶され、電話機制御部１から参照することができる。
【００１０】
次に動作について説明する。利用者が発信した電話番号は、ダイヤルキー３から電話機制御部１へ伝達される。電話機制御部１は、ダイヤルされた電話番号が、メモリ２に登録されている緊急通報用の電話番号と一致するかどうかを判定し、一致した場合には電源スイッチ７をオンにして、利用者が電源スイッチ６を操作しても、移動通信用電話機１０の電源５はオンのまま保持されるように設定する。
【００１１】
電源５をオフにできない状態の解除条件としては、緊急通報先からの呼び返しが行われた場合、緊急通報が終了してから一定時間経過した場合などが考えられる。これらの条件を満足したことを電話機制御部１が判定し、電源スイッチ７をオフすることによって、利用者の操作が有効になる。
【００１２】
図２は、本発明の実施例における移動通信用電話機の電話機制御部の制御フローを示すフローチャートである。図において、記号Ｓに続く数値はステップ番号を示している。
〔Ｓ１〕電話機制御部１は、利用者が通話相手の電話番号をダイヤルキー３を押下し、発信したことを検知する。
〔Ｓ２〕電話機制御部１は、利用者がダイヤルキー３を押下した通話相手の電話番号が緊急通報先の電話番号と一致するか否かを調べる。一致していればＳ３に進み、一致していなければＳ３の次のステップに進む。
〔Ｓ３〕電話機制御部１は、制御信号を送出して電源スイッチ７をオン状態に設定する。
【００１３】
図３は、本発明の他の実施例における移動通信用電話機の制御系のブロック図である。なお、従来例の図４との相違箇所は、電源スイッチ６とは別にスイッチ９を設けた点である。この例では、電源スイッチ８は、電話機制御部１から制御が可能な構成になっている。利用者の電源オン／オフ操作は別に設けたスイッチ９で行う。電話機制御部１はこのスイッチ９のオン／オフ状態を監視信号に基づいて監視し、電源スイッチ８を制御することによって電源５のオン／オフを行う。電話機制御部１は、緊急通報が行われていない状態では、スイッチ９の状態をそのまま電源スイッチ８の状態に反映させる。
【００１４】
電話機制御部１は、緊急通報が行われた場合は、スイッチ９の状態にかかわらず電源スイッチ８をオンにし、緊急通報先からの呼び返しが行われた場合、緊急通報が終了してから一定時間が経過した場合などの解除条件が満足されたら、ふたたびスイッチ９の状態を電源スイッチ８に反映させ、利用者の操作を有効になるようにする。
【００１５】
【発明の効果】
以上説明したように、本発明の移動通信用電話機は、通信しながら移動することが可能な無線等を利用した移動通信用電話機において、
緊急通報先の電話番号を記憶しておく記憶手段と、緊急通報先に発信したことを判定する判定手段と、緊急通報を行った後は電源を常時オンに設定しておく電源オン手段とを設けたので、
緊急通報を行ったら利用者は電源をオフすることができなくなり、電池切れや、圏外への移動を除いて、確実に警察，消防側からの呼び返しを受けることができ、また、いたずら目的での緊急通報を防止することができる。
【図面の簡単な説明】
【図１】本発明の実施例における移動通信用電話機の制御系のブロック図である。
【図２】本発明の実施例における移動通信用電話機の電話機制御部の制御フローを示すフローチャートである。
【図３】本発明の他の実施例における移動通信用電話機の制御系のブロック図である。
【図４】従来例における移動通信用電話機の制御系のブロック図である。
【符号の説明】
１  電話機制御部
２  メモリ
３  ダイヤルキー
４  無線部
５  電源
６  電源スイッチ
７  電源スイッチ
８  電源スイッチ
９  スイッチ
１０  移動通信用電話機
【図１】
0003683352.tif 000002
【図２】
0003683352.tif 000003
【図３】
0003683352.tif 000004
【図４】
0003683352.tif 000005